(57)【要約】【課題】  マチ付き袋を広告用のチラシとして新聞などに折り込んで配布したり、町で配布する場合でも、マチ部が邪魔とならないように工夫したマチ付き袋を提供すると共に、チラシとして配布するためのマチ付き袋により、小さな子供がいる家族に対して、その子供が営業所や展示場に行くことを喜ぶ動機付けとなる具体的な楽しみを提供でき、チラシによる集客効果を高めることが期待できるマチ付き袋を提供する。【解決手段】  袋を形成している袋用紙の表紙及び裏紙の両側部と、袋底部とにマチ部が設けられているマチ付き袋において、前記袋用紙のマチ部となる部分同士が、重なり合う状態で折り畳まれ、更にその折り畳まれた袋用紙同士が剥離可能に接着されていることを特徴とする。【選択図】        図1
0003117987.tif 000002
【実用新案登録請求の範囲】
【請求項１】
袋を形成している袋用紙の表紙及び裏紙の両側部と、袋底部とにマチ部が設けられているマチ付き袋において、
前記袋用紙のマチ部となる部分同士が、重なり合う状態で折り畳まれ、更にその折り畳まれた袋用紙同士が剥離可能に接着されていることを特徴とするマチ付き袋。
【請求項２】
前記袋用紙には、広告情報が掲載された広告情報表示と、前記マチ付き袋を顧客が持参する場所を示す袋持参場所表示と、前記マチ付き袋を袋持参場所に持参した際に顧客に与えられる特典内容を示す特典内容表示とを有することを特徴とする請求項１記載のマチ付き袋。
【請求項３】
前記袋持参場所表示と、前記特典内容表示とが、前記マチ部分となる袋用紙部分に設けられていることを特徴とする請求項２記載のマチ付き袋。
【請求項４】
前記特典内容が、お菓子の詰め放題を行う顧客向けサービスであることを特徴とする請求項２または請求項３に記載のマチ付き袋。
【請求項５】
前記マチ付き袋が、新聞折り込み用のチラシであることを特徴とする請求項１記載のマチ付き袋。
【考案の詳細な説明】
【技術分野】
【０００１】
本考案は、袋を形成している袋用紙の表紙及び裏紙の両側部と、袋底部とにマチ部が設けられているマチ付き袋に関する。
【背景技術】
【０００２】
従来、生活者に対して各種の商品やサービスについて広告宣伝を行う場合に、それらの広告情報を掲載したチラシを作成し、新聞と共にそのチラシを生活者に配布したり、街頭などで生活者に手渡すなどしてチラシを配布するなどしている。
通常これらのチラシは、販売促進を行う商品の写真や商品内容の説明を掲載させたり、チラシにクーポン券を印刷するなどして集客効果を高める工夫が施されている。（例えば、特許文献１参照）
【特許文献１】実用新案登録第３１１０９５９号公報
【０００３】
これらのチラシの中には、商品の写真を掲載したり、商品内容の説明分などを掲載すると共に、それらの商品を展示する営業所や展示場などの営業場所に関しても掲載している場合が多い。
このようなチラシは、まずそのチラシの掲載内容を見た生活者に対して営業所や展示場へきてもらうことを第１の目的としている。
そして、生活者に対して営業所や展示場へきてもらった後に、営業担当者が生活者の接待をしながらその生活者に販売する商品の現物やサンプルなどを見せて、商品説明をするなどして販売促進活動を行うなどしている。
【０００４】
しかしながら、新聞などに折り込んで配布するチラシは、１枚のシート状の用紙を使用しているために、単に広告情報の表示を行うだけで、イベントなどの様々な企画に利用することができないという問題がある。
例えば、生活者の中には、特に幼稚園児や小学生のような小さな子供がいる家族も多く、子供がいる家族が、休日に家族揃ってチラシの掲載されている営業所や展示場に行くことは子供にとって必ずしも楽しいこととはいえないが、子供が喜ぶイベントを行うことで、家族連れで営業所や展示場にきてもらうことも期待できる。
【０００５】
このようなことから、新聞などに折り込んで配布するチラシや、町で配布するチラシとして、マチ付き袋を用いて営業所や展示場にきてくれた家族に対して、その袋にお菓子を詰めるサービスなどのイベントを実施するれば、家族連れで営業所や展示場にきてもらう動機付けともなり集客効果が期待できる。
しかしながら、マチ付き袋をチラシとして、新聞などに折り込んで配布したり、町で配布する場合には、マチ部が邪魔となるという問題がある。
【考案の開示】
【考案が解決しようとする課題】
【０００６】
そこで、本発明は、マチ付き袋を広告用のチラシとして新聞などに折り込んで配布したり、町で配布する場合でも、マチ部が邪魔とならないように工夫したマチ付き袋を提供すると共に、チラシとして配布するためのマチ付き袋により、小さな子供がいる家族に対して、その子供が営業所や展示場に行くことを喜ぶ動機付けとなる具体的な楽しみを提供でき、チラシによる集客効果を高めることが期待できるマチ付き袋を提供する。
【課題を解決するための手段】
【０００７】
上記目的を達成するために、本考案のマチ付き袋は、袋を形成している袋用紙の表紙及び裏紙の両側部と、袋底部とにマチ部が設けられているマチ付き袋において、前記袋用紙のマチ部となる部分同士が、重なり合う状態で折り畳まれ、更にその折り畳まれた袋用紙同士が剥離可能に接着されていることを特徴とする。
【０００８】
また、本考案のマチ付き袋は、前記袋用紙には、広告情報が掲載された広告情報表示と、前記マチ付き袋を顧客が持参する場所を示す袋持参場所表示と、前記マチ付き袋を袋持参場所に持参した際に顧客に与えられる特典内容を示す特典内容表示とを有することを特徴とする。
【０００９】
更に、本考案のマチ付き袋は、前記袋持参場所表示と、前記特典内容表示とが、前記マチ部分となる袋用紙部分に設けられていることを特徴とする。
【００１０】
また、本考案のマチ付き袋は、前記特典内容が、お菓子の詰め放題を行う顧客向けサービスであることを特徴とする。
【００１１】
更に、本考案のマチ付き袋は、前記マチ付き袋が、新聞折り込み用のチラシであることを特徴とする。
【考案の効果】
【００１２】
本考案のマチ付き袋は、マチ部が折り畳まれ、剥離可能に接着されているので、広告用のチラシとしてマチ付き袋を使用する場合でも、嵩張らない状態で保管することができ、また、新聞などに折り込んで配布したり、町で配布する場合でも、マチ部が邪魔とならないという効果がある。
【００１３】
また、本考案のマチ付き袋は、広告情報表示と袋持参場所表示と特典内容表示とが施されているので、マチ部が折り畳まれた状態で広告用のチラシとして配布し、更にイベントなどに利用できるので、より効果的な集客効果が期待できるという効果がある。
【００１４】
更に、本考案のマチ付き袋は、持参場所表示と特典内容表示とがマチ部分となる袋用紙部分に設けられているので、マチ付き袋を受け取った生活者が、剥離可能に接着されているマチ部を剥離することで初めて、特典内容やイベント内容を見ることができ、小さな子供がいる家族に対して、その子供が営業所や展示場に行くことを喜ぶ動機付けとなる具体的な楽しみを提供でき、チラシによる集客効果を高めることが期待できるという効果がある。
【００１５】
また、本考案のマチ付き袋は、特典内容がお菓子の詰め放題を行う顧客向けサービスであるので、小さな子供がいる家族に対して、その子供が営業所や展示場に行くことを喜ぶ動機付けとなる具体的な楽しみを提供でき、チラシによる集客効果を高めることが期待できるという効果がある。
【００１６】
更に、本考案のマチ付き袋は、マチ付き袋が新聞折り込み用のチラシであるので、新聞折り込む際には、マチ部の部分が接着されて綴じた状態で折り込むことができるので、１枚のシート状のチラシと同様な取扱いとして新聞に折り込んで生活者に配布することができるという効果がある。
【考案を実施するための最良の形態】
【００１７】
以下、本考案の実施形態に係るマチ付き袋について、図面に基づいて詳細に説明する。
図１は、本考案の実施形態に係るマチ付き袋を表紙側から見た状態を示す斜視図、図２は、図１のＡ−Ａ線断面図、図３は、図１のＢ−Ｂ線断面図、図４は、本考案の実施形態に係るマチ付き袋であって、剥離可能に接着されたマチ部を剥離して袋状とした状態を示す斜視図、図５は、図４のＣ−Ｃ線断面図、図６は、図４のＤ−Ｄ線断面図である。
【００１８】
図１に示すように、本発明の実施形態に係るマチ付き袋１は、袋を形成している袋用紙２の表紙３及び裏紙４の両側部分と、袋底部分とにマチ部５ａ，５ｂ，５ｃが設けられている。
このマチ部５ａ，５ｂ，５ｃは、袋の内部に物が入れられた際に、袋の厚みが広がるように表紙３と裏紙４とが重ねられた３方端部分に設けられている。
図２に示すように、表紙３及び裏紙４の両側部分にそれぞれ設けられているマチ部５ａ，５ｂは、袋用紙２のマチ部となる部分同士が、重なり合う状態で折り畳まれ、更にその折り畳まれた袋用紙同士が剥離可能に接着されている。
更に、図３に示すように、袋底部分に設けられたマチ部５ｃには、袋用紙２のマチ部となる部分同士が、重なり合う状態で折り畳まれ、更にその折り畳まれた袋用紙同士が剥離可能に接着されている。
【００１９】
袋用紙２のマチ部５ａ，５ｂ，５ｃ上には、剥離可能に接着することができる特殊な感圧性接着剤層６が設けられ、マチ部が折り畳まれ感圧性接着剤層６同士が重なり合った状態で、上下方向から挟み込んで加圧されることで、感圧性接着剤層６同士が一時的に接着状態となり、袋として利用する際に、接着状態にある感圧性接着剤層６同士が剥離して、マチ部同士の重なりが広がって袋に沢山の物を入れることができるように構成されている。
【００２０】
上記の感圧性接着剤層６を形成する感圧性接着剤としては、接着面の密着性及び剥離性を容易にするように調整されており、以下に説明する粘着主剤、粘着力調整剤、添加物等が以下の割合で混合されている。
粘着主剤        １００重量部
粘着力調整剤
針状物質の場合            １０〜１００（好ましくは１０〜５０）重量部
微粒状物質の場合            １〜５０（好ましくは５〜３０）重量部
上記両物質を混合した場合  １０〜１００重量部
添加物
ワックス                ０．０１〜２０重量部
紫外線吸収剤            微量
消泡剤                  微量
消泡助剤                微量
エマルジョン化成分
水                １００〜５００（好ましくは２００〜３００）重量部
乳化剤            ０．５〜２重量部
樹脂                １〜５０重量部
【００２１】
上記において粘着主剤は、天然ゴム、エステル化天然ゴム、スチレンブタジエンゴム、クロロプレンゴム、ポリ酢酸ビニル、ポリメチルメタクリレ−ト等が挙げられ、または、これらの混合物が挙げられる。
これらの混合にあたっては、その混合割合を適宜調整することによって、感圧接着剤層同士の自着性を保持しつつ、基材との密着性を自着性より大きくすることができる。
好ましくは、加圧によって感圧接着剤層同士の自着性を発現する性質の高い天然ゴムに、基材との密着性、すなわちアンカ−効果を高める目的でポリメチルメタクリレ−トやスチレンブタジエンゴムを添加したものが挙げられる。
ポリメチルメタクリレ−トは単独で用いるより他の粘着主剤と混合して用いるとよい。
このような粘着主剤は、通常粒径０．１μｍ〜３μｍ程度の微粒状のものが使用される。
【００２２】
上記において粘着力調整剤は、粘着主剤の粘着力を調整するために混合され、針状物質若しくは微粒状物質又はこれらの混合物が用いられる。
針状物質としては、例えば無機物質、有機物質のいずれでもよく、その形状が略針状であればよく、偏平状、鱗片状等のような形態を持つものから任意に選択されるが、針状物質が特に好適である。
針状物質としては、平均長さは１０μｍ〜２０μｍ、また平均径としては０．２μｍ〜０．５μｍ程度のものが好ましい。
【００２３】
針状物質は感圧粘着剤をエマルジョンとし、塗布剤とした時の沈降性を低くするために見掛け比重が０．０５〜０．６のものが好ましく、また、印刷加工やノンインパクトプリンタの印字加工を考慮すると針状物質の弾性率としては１００００ｋｇ／ｍｍ2〜４００００ｋｇ／ｍｍ2 のものが好ましい。
このような針状物質としては、例えばガラス繊維、炭素繊維、金属結晶、金属化合物等が挙げられ、粘着主剤とは新和性（相溶性）を有しないものであればよい。
針状物質として好ましいものは、６−チタン酸カリウムの結晶であり水との相溶性はないが新和性を有し、また見掛け比重が０．２（真比重＝３．３）、弾性率が２８０００ｋｇ／ｍｍ2であり、感圧接着剤成分として適している。
【００２４】
上記において微粒状物質は、マイクロシリカ、合成ゼオライト、活性アルミナゲル、炭酸カルシウム、酸化亜鉛、酸化チタン、タルク、クレ−、タオリン、活性白土、アクリルビ−ズ、澱粉、セルロ−ス、シラスバル−ン等が挙げられ、その粒径は１０μｍ〜３０μｍ、好ましくは０．５μｍ〜１０μｍの範囲にあるのが好適である。
また、針状物質と共に添加することにより、微粒状物質の添加量を少なくすることができると共に微粒状物質の粉落ちを防止することができる。
【００２５】
上記において添加物として、ハンドリング性、ノンインパクトプリンタの搬送性能等の滑り性向上又は耐ブロッキング性向上のために、ポリエチレンワックス、カルナウバワックス等のワックス類、劣化防止のために、アンモニア、エタノ−ルアミン等の紫外線吸収剤などを添加してもよい。
また、消泡剤として、非イオン系界面活性剤、アニオン系界面活性剤（鉱物油系）を添加したり、さらに、消泡助剤として、シリカなどを添加してもよい。
【００２６】
上記においてエマルジョン化成分として、上記した粘着主剤、粘着力調整剤、添加物は、水等の媒体に分散してエマルジョン状態で基材に塗布される。
エマルジョン化の際には、必要に応じて乳化剤が添加される。乳化剤としては、オレイン酸石鹸、ひまし油カリウム石鹸、カゼイン、にかわ、ゼラチンなどを使用できる。
また、エマルジョン化したとき、粘着主剤の２次凝集防止のために、粘着主剤とは新和性を有しない樹脂を添加することができる。
この樹脂としては、水分散性高分子ポリエステル、熱可塑性エラストマ−、また、低密度ポリエチレン、アイオノマ−、酢酸ビニル−オレフィン共重合体等が好適に使用できる。
【００２７】
このような感圧接着剤の基材面上への塗布方法としては、フレキソコーター、グラビアコーター、ロールコーター、バーコーター等の一般的なコーティング方法が用いられ、また感圧接着剤の塗布量は、乾燥後で０．１ｇ／ｍ2 〜１０ｇ／ｍ2 、好ましくは１．０ｇ／ｍ2 〜３．０ｇ／ｍ2 が好ましい。
この範囲内であれば、基材の感圧接着剤層上から印刷あるいは印字した時にインキが感圧接着剤層中を透過して、基材にまでインキを到達させることができる。
さらに、ブロッキング、パイリング（粉落ち）等も防止でき十分な密着性と印字性が得られる。
【００２８】
また、マチ付き袋１の袋用紙２には、広告情報が掲載された広告情報表示７と、そのマチ付き袋を顧客が持参する場所を示す袋持参場所表示８と、マチ付き袋を袋持参場所に持参した際に顧客に与えられる特典内容を示す特典内容表示９とが施されている。
そして、袋持参場所表示８と、特典内容表示９とは、マチ部分５ａ，５ｂとなる袋用紙部分に設けられている。
特典内容表示９の特典内容として、お菓子の詰め放題を行う顧客向けサービスを行うことが表示されている。
本発明のマチ付き袋１は、新聞折り込み用のチラシとして新聞に折り込んで生活者に配布することで、従来のシート状のチラシでは実施できなかった袋を利用した顧客向けサービスを、様々なイベント企画を開催するなどして活用できるようにしてある。
【００２９】
マチ付き袋１に、広告情報と、そのマチ付き袋を顧客が持参する場所と、その場所にマチ付き袋を持参した際に顧客に与えられる特典内容とが掲載されているので、新聞折り込み用のチラシとしてマチ付き袋を生活者に配布することで、特に、小さな子供がいる家族に対して、その子供が営業所や展示場に行って袋にお菓子の詰めて持って帰ることができるという具体的な楽しみが提供できるようにしてある。
したがって、マチ付き袋１を、従来の新聞折り込み用チラシの広告媒体として利用すると共に、更に、営業所や展示場でのイベント企画の小道具としても活用できるようにしてある。
【００３０】
例えば、イベントが開催されている営業所や展示場に行って、マチ付き袋１にお菓子の詰める際には、図４及び図６に示すように、マチ付き袋１の折り畳まれ接着されたマチ部５ａ，５ｂ，５ｃを広げて、沢山のお菓子をマチ付き袋１に詰めることができる状態にすることができるようにしてある。
また、広告用紙２には、クーポン券や無料券などの特典情報を掲載することで、子供だけではなく大人に対しても楽しみの提供を行えるようにしてある。
【図面の簡単な説明】
【００３１】
【図１】本考案の実施形態に係るマチ付き袋を表紙側から見た状態を示す斜視図である。
【図２】図１のＡ−Ａ線断面図である。
【図３】図１のＢ−Ｂ線断面図である。
【図４】本考案の実施形態に係るマチ付き袋であって、剥離可能に接着されたマチ部を剥離して袋状とした状態を示す斜視図である。
【図５】図４のＣ−Ｃ線断面図である。
【図６】図４のＤ−Ｄ線断面図である。
【符号の説明】
【００３２】
１  マチ付き袋
２  袋用紙
３  表紙
４  裏紙
５ａ，５ｂ，５ｃ  マチ部
６  感圧性接着剤層
７  広告情報表示
８  袋持参場所表示
９  特典内容表示
【図１】
0003117987.tif 000003
【図２】
0003117987.tif 000004
【図３】
0003117987.tif 000005
【図４】
0003117987.tif 000006
【図５】
0003117987.tif 000007
【図６】
0003117987.tif 000008